(57)【特許請求の範囲】
【請求項１】
複数のユーザＩＤ各々と対応付けられた情報を、孔を有するカバーによりその表示画面から離隔して覆われる表示装置の、互いに重なる共有領域を有するように設けられ、前記ユーザＩＤ各々に対して割り当てられた前記表示画面上の領域に表示する表示方法であって、
前記共有領域に、前記ユーザＩＤと対応付けられた情報のうちの公開情報を表示し、
前記共有領域を除く前記領域各々に、各領域を割り当てられたユーザＩＤと対応付けられた情報のうちの非公開情報を表示する
ことを特徴とする表示方法。
【請求項２】
複数のユーザＩＤ各々と対応付けられた情報を、孔を有するカバーによりその表示画面から離隔して覆われる表示装置の、前記ユーザＩＤ各々に対して割り当てる前記表示画面上の領域に表示する表示方法であって、
前記ユーザＩＤ夫々に対応するユーザの位置を検出し、
検出した位置に基づいて前記ユーザＩＤ各々に対して割り当てる前記表示画面上の領域を算出し、
算出した領域に基づいて、前記情報を表示すべき前記表示画面上の位置座標を算出し、
前記算出した位置座標のうちの公開情報の位置座標が、該公開情報と対応付けられたユーザＩＤとは異なるユーザＩＤに対して割り当てた領域と重なるか否かに関わらず前記公開情報を表示し、
前記算出した位置座標のうちの非公開情報の位置座標が、該非公開情報と対応付けられたユーザＩＤとは異なるユーザＩＤに対して割り当てた領域と重なる場合に、前記非公開情報を前記ユーザＩＤに対して非公開にする
ことを特徴とする表示方法。
【請求項３】
孔を有するカバーと、該カバーによりその表示画面から離隔して覆われる表示装置と、複数のユーザＩＤ各々と対応付けられた情報を、互いに重なる共有領域を有するように設けられ、前記ユーザＩＤ各々に対して割り当てられた前記表示画面上の領域に表示させる表示制御装置とを備える表示システムであって、
前記表示制御装置は、
前記情報が公開情報か又は非公開情報かを記憶する手段と、
前記共有領域に、前記ユーザＩＤと対応付けられた情報のうちの公開情報を表示すべく、該公開情報の前記表示画面上の位置座標を算出する手段と、
前記領域各々の前記共有領域を除く領域に、各領域を割り当てられたユーザＩＤと対応付けられた情報のうちの非公開情報を表示すべく、該非公開情報の前記表示画面上の位置座標を算出する手段と
を備えることを特徴とする表示システム。
【請求項４】
孔を有するカバーと、該カバーによりその表示画面から離隔して覆われる表示装置と、複数のユーザＩＤ夫々に対応するユーザの位置を検出する位置検出装置と、前記ユーザＩＤ各々と対応付けられた情報を、前記ユーザＩＤ各々に対して割り当てる前記表示画面上の領域に表示させる表示制御装置とを備える表示システムであって、
前記表示制御装置は、
前記情報が非公開情報か否かを記憶する手段と、
前記位置検出装置が検出した位置に基づいて、前記ユーザＩＤ各々に対して割り当てる前記表示画面上の領域の座標を算出する手段と、
該算出した領域の座標に基づいて、前記情報を表示すべき前記表示画面上の位置座標を算出する手段と、
前記算出した領域の座標に基づいて、前記算出した位置座標のうちの非公開情報の位置座標が、該非公開情報と対応付けられたユーザＩＤとは異なるユーザＩＤに対して割り当てた領域と重なるか否かを判定する手段と、
該判定する手段により重なると判定した場合、前記非公開情報を前記ユーザＩＤに対して非公開とする手段と
を備えることを特徴とする表示システム。
【請求項５】
前記非公開とする手段は、前記非公開情報の位置座標を前記異なるユーザＩＤに対して割り当てた領域と重ならない位置座標に変更する手段であることを特徴とする請求項４に記載の表示システム。
【請求項６】
前記非公開とする手段は、前記非公開情報を表示させないようにすべくなしてあることを特徴とする請求項４に記載の表示システム。
【請求項７】
入力装置を備え、
前記表示制御装置は、
前記入力装置による入力に基づいて前記情報の位置座標を変更する手段
をさらに備えることを特徴とする請求項３乃至６に記載の表示システム。
【請求項８】
孔を有するカバーと、
該カバーによりその表示画面から離隔して覆われる表示装置と、
複数のユーザＩＤ各々と対応付けられた情報を、前記ユーザＩＤ各々に対して割り当てられる前記表示画面上の領域に表示させる表示制御装置と、
前記ユーザＩＤ各々と対応付けられた情報のうちの公開情報を前記カバーに投影する投影装置と
を備えることを特徴とする表示システム。
【請求項９】
孔を有する第１表示装置と、
該第１表示装置によりその表示画面から離隔して覆われる第２表示装置と、
複数のユーザＩＤ各々と対応付けられた情報を、前記ユーザＩＤ各々に対して割り当てられる前記第２表示装置の表示画面上の領域に表示させ、前記ユーザＩＤ各々と対応付けられた情報のうちの公開情報を前記第１表示装置の表示画面上に表示させる表示制御装置と
を備えることを特徴とする表示システム。
【請求項１０】
複数のユーザＩＤ各々と対応付けられた情報を、孔を有するカバーによりその表示画面から離隔して覆われる表示装置の、前記ユーザＩＤ各々に対して割り当てる前記表示画面上の領域に表示させる表示制御装置であって、
前記情報が非公開情報か否かを記憶する手段と、
前記ユーザＩＤ夫々に対応するユーザの位置を検出する位置検出装置が検出した位置を受信する手段と、
該受信した位置に基づいて、前記ユーザＩＤ各々に対して割り当てる前記表示画面上の領域の座標を算出する手段と、
該算出した領域の座標に基づいて、前記情報を表示すべき前記表示画面上の位置座標を算出する手段と、
前記算出した領域の座標に基づいて、前記算出した位置座標のうちの非公開情報の位置座標が、該非公開情報と対応付けられたユーザＩＤとは異なるユーザＩＤに対して割り当てた領域と重なるか否かを判定する手段と、
該判定する手段により重なると判定した場合、前記非公開情報を前記ユーザＩＤに対して非公開にする手段と
を備えることを特徴とする表示制御装置。
【請求項１１】
前記非公開にする手段は、前記非公開情報の位置座標を前記異なるユーザＩＤに対して割り当てた領域と重ならない位置座標に変更する手段であることを特徴とする請求項１０に記載の表示制御装置。
【請求項１２】
前記非公開にする手段は、前記非公開情報を表示させないようにすべくなしてあることを特徴とする請求項１０に記載の表示制御装置。
【請求項１３】
コンピュータに、複数のユーザＩＤ各々と対応付けられた情報を、孔を有するカバーにより表示画面から離隔して覆われる表示装置の、前記ユーザＩＤ各々に対して割り当てる前記表示画面上の領域に表示させるためのコンピュータプログラムであって、
コンピュータに、前記情報が非公開情報か否かを記憶させるステップと、
コンピュータに、前記ユーザＩＤ夫々に対応するユーザの位置を検出する位置検出装置が検出した位置を受信させるステップと、
コンピュータに、該受信させた位置に基づいて、前記ユーザＩＤ各々に対して割り当てる前記表示画面上の領域の座標を算出させるステップと、
コンピュータに、該算出させた領域の座標に基づいて、前記情報を表示すべき前記表示画面上の位置座標を算出させるステップと、
コンピュータに、前記算出させた領域の座標に基づいて、前記算出させた位置座標のうちの非公開情報の位置座標が、該非公開情報と対応付けられたユーザＩＤとは異なるユーザＩＤに対して割り当てた領域と重なるか否かを判定させるステップと、
コンピュータに、該判定させるステップにより重なると判定させた場合、前記非公開情報を前記ユーザＩＤに対して非公開にさせるステップと
を実行させることを特徴とするコンピュータプログラム。
【請求項１４】
コンピュータに、複数のユーザＩＤ各々と対応付けられた情報を、孔を有するカバーにより表示画面から離隔して覆われる表示装置の、前記ユーザＩＤ各々に対して割り当てる前記表示画面上の領域に表示させるためのコンピュータプログラムを記録してあるコンピュータで読み取りが可能な記録媒体であって、
コンピュータに、前記情報が非公開情報か否かを記憶させるステップと、
コンピュータに、前記ユーザＩＤ夫々に対応するユーザの位置を検出する位置検出装置が検出した位置を受信させるステップと、
コンピュータに、該受信させた位置に基づいて、前記ユーザＩＤ各々に対して割り当てる前記表示画面上の領域の座標を算出させるステップと、
コンピュータに、該算出させた領域の座標に基づいて、前記情報を表示すべき前記表示画面上の位置座標を算出させるステップと、
コンピュータに、前記算出させた領域の座標に基づいて、前記算出させた位置座標のうちの非公開情報の位置座標が、該非公開情報と対応付けられたユーザＩＤとは異なるユーザＩＤに対して割り当てた領域と重なるか否かを判定させるステップと、
コンピュータに、該判定させるステップにより重なると判定させた場合、前記非公開情報を前記ユーザＩＤに対して非公開にさせるステップと
を実行させるコンピュータプログラムを記録してあることを特徴とするコンピュータで読み取りが可能な記録媒体。
【発明の詳細な説明】
【０００１】
【発明の属する技術分野】
本発明は、複数のユーザが所有する公開情報及び非公開情報を表示する表示方法、その実施に使用する表示システム、該表示システムに用いる表示制御装置、コンピュータを前記表示制御装置として実現させるためのコンピュータプログラム、及び該コンピュータプログラムを記録してあるコンピュータでの読み取りが可能な記録媒体に関する。
【０００２】
【従来の技術】
複数のユーザがコンピュータを利用して協調作業を行う際に、ユーザ各々が個々の表示装置を見るよりも、ユーザ全員が一箇所に集まって１つの表示装置を共有して作業を行う方が他のユーザの作業等を把握することができるために、効率的である場合が多いと言われている。この場合、表示装置に表示される情報はユーザ全員に対して公開される。このようにして、ユーザ全員に対して公開したい情報を表示装置に表示するだけでなく、同時に、ユーザ各々が所有する、作業手順又は戦略等、他のユーザには見せられない非公開情報を、他のユーザに対して非公開の状態で表示することにより、作業効率を向上させることが可能である。
【０００３】
上述した協調作業を行うことができるシステムとして、特開２００１−１７５３７４号公報に、公開情報を表示する表示装置と非公開情報を表示する装置とを備えるシステムが提案されている。非公開情報を表示する装置として携帯型情報端末装置を用いる。公開情報を表示する表示装置の表示画面が見える位置にユーザは夫々配置し、非公開情報を表示する携帯型情報端末装置を前記ユーザ各々が携帯することにより、上述した協調作業を行うシステムを実現することができる。
【０００４】
また、１つの表示装置にて複数のユーザが所有する非公開情報を、他のユーザに対して非公開の状態で表示することができるシステムとして、各ユーザが所有する情報を時分割で切り替えて表示する表示装置と、表示装置の表示の切り替えのタイミングに合わせて開閉するシャッタ付きの眼鏡とを備えるシステムの研究も行われている。ユーザ各々がこの眼鏡を装着することにより、ユーザは、眼鏡のシャッタが開いている間には表示装置に表示される情報を見ることができ、眼鏡のシャッタが閉じている間には表示装置に表示される情報を見ることができない。表示装置に表示されている情報を所有するユーザの眼鏡のみのシャッタを開けるように、各眼鏡のシャッタの開閉のタイミングを合わせることで、１つの表示装置にて複数のユーザが所有する非公開情報を、その非公開情報を所有するユーザとは異なるユーザに対して非公開として表示することができる。
【０００５】
【発明が解決しようとする課題】
しかしながら、特開２００１−１７５３７４号公報に記載のシステムにおいては、公開情報を表示する表示装置と、非公開情報を表示する装置とが離れているために、両者の間での情報のやり取り等の場合にユーザは各情報の相関がわかりにくくなる等の問題がある。
【０００６】
また、情報を時分割で切り替えて表示する表示装置を用いたシステムにおいては、ユーザは２名に制限されるという問題がある。さらに、ユーザが、装着している眼鏡のシャッタが閉まっている間にその眼鏡を外すと、その時点で表示装置に表示されている他のユーザの非公開情報が見えてしまうという問題がある。
【０００７】
本発明は斯かる事情に鑑みてなされたものであって、その目的とするところは、複数のユーザＩＤ各々と対応付けられた情報を、孔を有するカバーにより表示画面から離隔して覆われる表示装置の、前記ユーザＩＤ各々に対して割り当てられた前記表示画面上の領域が互いに重なる共有領域に、前記ユーザＩＤと対応付けられた情報のうちの公開情報を表示し、前記共有領域を除く前記領域各々に、各領域を割り当てられたユーザＩＤと対応付けられた情報のうちの非公開情報を表示することにより、１つの表示装置において複数のユーザ各々が所有する公開情報と非公開情報とを表示することができる表示方法及びその実施に使用する表示システムを提供することにある。
【０００８】
また、本発明の他の目的は、複数のユーザＩＤ各々と対応付けられた情報を、孔を有するカバーにより表示画面から離隔して覆われる表示装置の、前記ユーザＩＤ各々に対して割り当てる前記表示画面上の領域を、前記ユーザＩＤ夫々に対応するユーザの位置に基づいて算出し、算出した領域に基づいて、前記情報を表示すべき前記表示画面上の位置座標を算出することにより、算出した非公開情報の位置座標が、該非公開情報と対応付けられたユーザＩＤとは異なるユーザＩＤに対して割り当てた領域と重なる場合に、前記非公開情報を前記ユーザＩＤに対して非公開にすることで、１つの表示装置において複数のユーザ各々が所有する公開情報と非公開情報とを表示することができる表示方法、その実施に使用する表示システム、該表示システムに用いる表示制御装置、コンピュータを前記表示制御装置として実現させるためのコンピュータプログラム、及び該コンピュータプログラムを記録してあるコンピュータでの読み取りが可能な記録媒体を提供することにある。
【０００９】
また、本発明の他の目的は、孔を有するカバーと、該カバーにより表示画面から離隔して覆われる表示装置と、複数のユーザＩＤ各々と対応付けられた情報を、前記ユーザＩＤ各々に対して割り当てられる前記表示画面上の領域に表示させる表示制御装置と、前記ユーザＩＤ各々と対応付けられた情報のうちの公開情報を前記カバーに投影する投影装置とを備えることにより、複数のユーザ各々が所有する公開情報と非公開情報とを隣接した位置に表示することができる表示システムを提供することにある。
【００１０】
さらに、本発明の他の目的は、孔を有する第１表示装置と、該第１表示装置により表示画面から離隔して覆われる第２表示装置と、複数のユーザＩＤ各々と対応付けられた情報を、前記ユーザＩＤ各々に対して割り当てられる前記第２表示装置の表示画面上の領域に表示させ、前記ユーザＩＤ各々と対応付けられた情報のうちの公開情報を前記第１表示装置の表示画面上に表示させる表示制御装置を備えることにより、複数のユーザ各々が所有する公開情報と非公開情報とを隣接した位置に表示することができる表示システムを提供することにある。
【００１１】
【課題を解決するための手段】
第１発明に係る表示方法は、複数のユーザＩＤ各々と対応付けられた情報を、孔を有するカバーによりその表示画面から離隔して覆われる表示装置の、互いに重なる共有領域を有するように設けられ、前記ユーザＩＤ各々に対して割り当てられた前記表示画面上の領域に表示する表示方法であって、前記共有領域に、前記ユーザＩＤと対応付けられた情報のうちの公開情報を表示し、前記共有領域を除く前記領域各々に、各領域を割り当てられたユーザＩＤと対応付けられた情報のうちの非公開情報を表示することを特徴とする。
【００１２】
第２発明に係る表示方法は、複数のユーザＩＤ各々と対応付けられた情報を、孔を有するカバーによりその表示画面から離隔して覆われる表示装置の、前記ユーザＩＤ各々に対して割り当てる前記表示画面上の領域に表示する表示方法であって、前記ユーザＩＤ夫々に対応するユーザの位置を検出し、検出した位置に基づいて前記ユーザＩＤ各々に対して割り当てる前記表示画面上の領域を算出し、算出した領域に基づいて、前記情報を表示すべき前記表示画面上の位置座標を算出し、前記算出した位置座標のうちの公開情報の位置座標が、該公開情報と対応付けられたユーザＩＤとは異なるユーザＩＤに対して割り当てた領域と重なるか否かに関わらず前記公開情報を表示し、前記算出した位置座標のうちの非公開情報の位置座標が、該非公開情報と対応付けられたユーザＩＤとは異なるユーザＩＤに対して割り当てた領域と重なる場合に、前記非公開情報を前記ユーザＩＤに対して非公開にすることを特徴とする。
【００１３】
第３発明に係る表示システムは、孔を有するカバーと、該カバーによりその表示画面から離隔して覆われる表示装置と、複数のユーザＩＤ各々と対応付けられた情報を、互いに重なる共有領域を有するように設けられ、前記ユーザＩＤ各々に対して割り当てられた前記表示画面上の領域に表示させる表示制御装置とを備える表示システムであって、前記表示制御装置は、前記情報が公開情報か又は非公開情報かを記憶する手段と、前記共有領域に、前記ユーザＩＤと対応付けられた情報のうちの公開情報を表示すべく、該公開情報の前記表示画面上の位置座標を算出する手段と、前記領域各々の前記共有領域を除く領域に、各領域を割り当てられたユーザＩＤと対応付けられた情報のうちの非公開情報を表示すべく、該非公開情報の前記表示画面上の位置座標を算出する手段とを備えることを特徴とする。
【００１４】
第４発明に係る表示システムは、孔を有するカバーと、該カバーによりその表示画面から離隔して覆われる表示装置と、複数のユーザＩＤ夫々に対応するユーザの位置を検出する位置検出装置と、前記ユーザＩＤ各々と対応付けられた情報を、前記ユーザＩＤ各々に対して割り当てる前記表示画面上の領域に表示させる表示制御装置とを備える表示システムであって、前記表示制御装置は、前記情報が非公開情報か否かを記憶する手段と、前記位置検出装置が検出した位置に基づいて、前記ユーザＩＤ各々に対して割り当てる前記表示画面上の領域の座標を算出する手段と、該算出した領域の座標に基づいて、前記情報を表示すべき前記表示画面上の位置座標を算出する手段と、前記算出した領域の座標に基づいて、前記算出した位置座標のうちの非公開情報の位置座標が、該非公開情報と対応付けられたユーザＩＤとは異なるユーザＩＤに対して割り当てた領域と重なるか否かを判定する手段と、該判定する手段により重なると判定した場合、前記非公開情報を前記ユーザＩＤに対して非公開とする手段とを備えることを特徴とする。
【００１５】
第５発明に係る表示システムは、第４発明において、前記非公開とする手段は、前記非公開情報の位置座標を前記異なるユーザＩＤに対して割り当てた領域と重ならない位置座標に変更する手段であることを特徴とする。
【００１６】
第６発明に係る表示システムは、第４発明において、前記非公開とする手段は、前記非公開情報を表示させないようにすべくなしてあることを特徴とする。
【００１７】
第７発明に係る表示システムは、第３発明乃至第６発明において、入力装置を備え、前記表示制御装置は、前記入力装置による入力に基づいて前記情報の位置座標を変更する手段をさらに備えることを特徴とする。
【００１８】
第８発明に係る表示システムは、孔を有するカバーと、該カバーによりその表示画面から離隔して覆われる表示装置と、複数のユーザＩＤ各々と対応付けられた情報を、前記ユーザＩＤ各々に対して割り当てられる前記表示画面上の領域に表示させる表示制御装置と、前記ユーザＩＤ各々と対応付けられた情報のうちの公開情報を前記カバーに投影する投影装置とを備えることを特徴とする。
【００１９】
第９発明に係る表示システムは、孔を有する第１表示装置と、該第１表示装置によりその表示画面から離隔して覆われる第２表示装置と、複数のユーザＩＤ各々と対応付けられた情報を、前記ユーザＩＤ各々に対して割り当てられる前記第２表示装置の表示画面上の領域に表示させ、前記ユーザＩＤ各々と対応付けられた情報のうちの公開情報を前記第１表示装置の表示画面上に表示させる表示制御装置とを備えることを特徴とする。
【００２０】
第１０発明に係る表示制御装置は、複数のユーザＩＤ各々と対応付けられた情報を、孔を有するカバーによりその表示画面から離隔して覆われる表示装置の、前記ユーザＩＤ各々に対して割り当てる前記表示画面上の領域に表示させる表示制御装置であって、前記情報が非公開情報か否かを記憶する手段と、前記ユーザＩＤ夫々に対応するユーザの位置を検出する位置検出装置が検出した位置を受信する手段と、該受信した位置に基づいて、前記ユーザＩＤ各々に対して割り当てる前記表示画面上の領域の座標を算出する手段と、該算出した領域の座標に基づいて、前記情報を表示すべき前記表示画面上の位置座標を算出する手段と、前記算出した領域の座標に基づいて、前記算出した位置座標のうちの非公開情報の位置座標が、該非公開情報と対応付けられたユーザＩＤとは異なるユーザＩＤに対して割り当てた領域と重なるか否かを判定する手段と、該判定する手段により重なると判定した場合、前記非公開情報を前記ユーザＩＤに対して非公開にする手段とを備えることを特徴とする。
【００２１】
第１１発明に係る表示制御装置は、第１０発明において、前記非公開にする手段は、前記非公開情報の位置座標を前記異なるユーザＩＤに対して割り当てた領域と重ならない位置座標に変更する手段であることを特徴とする。
【００２２】
第１２発明に係る表示制御装置は、第１０発明において、前記非公開にする手段は、前記非公開情報を表示させないようにすべくなしてあることを特徴とする。
【００２３】
第１３発明に係るコンピュータプログラムは、コンピュータに、複数のユーザＩＤ各々と対応付けられた情報を、孔を有するカバーにより表示画面から離隔して覆われる表示装置の、前記ユーザＩＤ各々に対して割り当てる前記表示画面上の領域に表示させるためのコンピュータプログラムであって、コンピュータに、前記情報が非公開情報か否かを記憶させるステップと、コンピュータに、前記ユーザＩＤ夫々に対応するユーザの位置を検出する位置検出装置が検出した位置を受信させるステップと、コンピュータに、該受信させた位置に基づいて、前記ユーザＩＤ各々に対して割り当てる前記表示画面上の領域の座標を算出させるステップと、コンピュータに、該算出させた領域の座標に基づいて、前記情報を表示すべき前記表示画面上の位置座標を算出させるステップと、コンピュータに、前記算出させた領域の座標に基づいて、前記算出させた位置座標のうちの非公開情報の位置座標が、該非公開情報と対応付けられたユーザＩＤとは異なるユーザＩＤに対して割り当てた領域と重なるか否かを判定させるステップと、コンピュータに、該判定させるステップにより重なると判定させた場合、前記非公開情報を前記ユーザＩＤに対して非公開にさせるステップとを実行させることを特徴とする。
【００２４】
第１４発明に係るコンピュータで読み取りが可能な記録媒体は、コンピュータに、複数のユーザＩＤ各々と対応付けられた情報を、孔を有するカバーにより表示画面から離隔して覆われる表示装置の、前記ユーザＩＤ各々に対して割り当てる前記表示画面上の領域に表示させるためのコンピュータプログラムを記録してあるコンピュータで読み取りが可能な記録媒体であって、コンピュータに、前記情報が非公開情報か否かを記憶させるステップと、コンピュータに、前記ユーザＩＤ夫々に対応するユーザの位置を検出する位置検出装置が検出した位置を受信させるステップと、コンピュータに、該受信させた位置に基づいて、前記ユーザＩＤ各々に対して割り当てる前記表示画面上の領域の座標を算出させるステップと、コンピュータに、該算出させた領域の座標に基づいて、前記情報を表示すべき前記表示画面上の位置座標を算出させるステップと、コンピュータに、前記算出させた領域の座標に基づいて、前記算出させた位置座標のうちの非公開情報の位置座標が、該非公開情報と対応付けられたユーザＩＤとは異なるユーザＩＤに対して割り当てた領域と重なるか否かを判定させるステップと、コンピュータに、該判定させるステップにより重なると判定させた場合、前記非公開情報を前記ユーザＩＤに対して非公開にさせるステップとを実行させるコンピュータプログラムを記録してあることを特徴とする。
【００２５】
第１発明及び第３発明においては、表示装置の表示画面上の共有領域に、各ユーザＩＤと対応付けられた公開情報を表示し、各ユーザＩＤに対して割り当てた表示画面上の領域の前記共有領域を除く領域に、各領域を割り当てられたユーザＩＤと対応付けられた非公開情報を表示することにより、１つの表示装置の表示画面上において、複数のユーザＩＤ各々と対応付けられた公開情報及び非公開情報を表示することができる。
これにより、複数のユーザＩＤ夫々を有する各ユーザは、自身が所有する公開情報と非公開情報とが１つの表示装置の表示画面上に隣接して表示されるので、公開情報と非公開情報との両方についての作業を並行して行うことができ、また、各情報の相関を明確に理解することができるので作業効率が良い。
【００２６】
第２発明、第４発明、第１０発明、第１３発明及び第１４発明においては、検出したユーザの位置に基づいて、ユーザＩＤに対して割り当てる表示装置の表示画面上の領域の座標を算出し、算出した領域の座標に基づいてユーザＩＤ各々と対応付けられた情報を表示すべき前記表示画面上の位置座標を算出する。そして、非公開情報の位置座標が、該非公開情報と対応付けられたユーザＩＤとは異なるユーザＩＤに対して割り当てた領域と重なるか否かを判定し、重なると判定した場合、前記非公開情報を前記ユーザＩＤに対して非公開とすることにより、非公開情報を他のユーザＩＤに対して公開することはない。
また、非公開情報の位置座標が、他のユーザＩＤに対して割り当てた領域と重ならない場合、その非公開情報を他のユーザＩＤに対して非公開としたまま表示することができる。さらに、公開情報の位置座標が、他のユーザＩＤに対して割り当てた領域と重なる場合、その情報を他のユーザＩＤに対して公開して表示することができる。ゆえに、１つの表示装置において、複数のユーザＩＤと対応付けて記憶される情報のうち、公開情報を公開させて表示し、かつ、非公開情報を非公開として表示することができる。
【００２７】
これにより、複数のユーザＩＤ夫々を有する各ユーザは、自身が所有する情報のうち他のユーザに公開した状態の公開情報と、他のユーザに非公開とした状態の非公開情報とが１つの表示装置の表示画面上に隣接して表示されるので、公開情報と非公開情報との両方についての作業を並行して行うことができ、また、各情報の相関を明確に理解することができるので作業効率が良い。さらに、ユーザ同士の位置関係により、各ユーザは、公開情報を実際に他のユーザに対して公開させて表示する、又は他のユーザに対して公開させずに表示することができるので、他のユーザに対して公開情報を実際に公開するかしないかの駆け引きを行うこともできる。
【００２８】
第５発明及び第１１発明においては、ユーザＩＤに対応するユーザの位置によって、算出した非公開情報の位置座標が、他のユーザＩＤに対して割り当てた領域と重なる場合に、その位置座標を変更することにより、非公開情報を他のユーザＩＤに対して非公開として表示することができる。これにより、ユーザは、表示装置の表示画面上に表示される公開情報と非公開情報との両方についての作業を並行して行うことができる。
【００２９】
第６発明及び第１２発明においては、ユーザＩＤに対応するユーザの位置によって、算出した非公開情報の位置座標が、他のユーザＩＤに対して割り当てた領域と重なる場合に、その非公開情報を表示しないことにより、その非公開情報を他のユーザＩＤに対して非公開とすることができる。
【００３０】
第７発明においては、入力装置により情報の位置座標を変更することにより、ユーザは、ユーザＩＤに対して割り当てられた領域における所望の位置に情報を表示させることができる。例えば、各ユーザＩＤに対して割り当てた領域が互いに重なる共有領域が存在する場合に、各ユーザは、公開情報の位置座標を変更することにより、公開情報を、他のユーザに対して実際に公開させるように共有領域に表示するか、又は他のユーザに対して公開させないように共有領域を除く領域に表示するかの変更を行うことができる。
【００３１】
第８発明においては、表示装置の、ユーザＩＤ各々に対して割り当てられる表示画面上の領域に、ユーザＩＤ各々と対応付けられた情報のうちの非公開情報を表示すると共に、ユーザＩＤ各々と対応付けられた情報のうちの公開情報を、スクリーンの役割を果たすカバーの表面上に投影装置によって表示することにより、各ユーザＩＤに対応付けられた非公開情報と公開情報とを隣接する場所に表示することができる。これにより、複数のユーザＩＤ夫々を有する各ユーザは、公開情報と非公開情報との両方についての作業を並行して行うことができ、また、各情報の相関を明確に理解することができるので作業効率が良い。
【００３２】
第９発明においては、第２表示装置の、ユーザＩＤ各々に対して割り当てられる表示画面上の領域に、ユーザＩＤ各々と対応付けられた情報のうちの非公開情報を表示すると共に、ユーザＩＤ各々と対応付けられた情報のうちの公開情報を第１表示装置に表示することにより、各ユーザＩＤに対応付けられた非公開情報と公開情報とを隣接する場所に表示することができる。これにより、複数のユーザＩＤ夫々を有する各ユーザは、公開情報と非公開情報との両方についての作業を並行して行うことができ、また、各情報の相関を明確に理解することができるので作業効率が良い。
【００３３】
【発明の実施の形態】
以下、本発明をその実施の形態を示す図面に基づいて説明する。
実施の形態１
図１は、本発明に係る表示システムの構成を示す概念図である。１はＣＲＴディスプレイ又は液晶ディスプレイ等の表示装置であり、表示装置１は、その表示画面から適宜の寸法を隔てて平板状のカバー２１により覆われている。カバー２１は略中央部に円形の孔２２を有している。本実施の形態においては、カバー２１の孔２２を円形としているが、これに限定するものではなく、例えば四角等の適宜の形であってよい。本発明に係る表示システムのユーザはこの孔２２を通して表示装置１の表示画面を見る。本発明に係るコンピュータを用いてなる表示制御装置３は、表示装置１の、複数のユーザ夫々が孔２２を通して見える表示画面上の領域に、各ユーザが所有する情報（ユーザＩＤ各々と対応付けられた情報）を表示させる。本表示システムにおいては、ユーザが所有する情報としてアイコン等のオブジェクトを表示するため、本実施の形態においては、ユーザが所有する情報をアイコンとして説明するが、アイコンに限定するものではない。
【００３４】
位置検出装置４は、本発明に係る表示システムのユーザの位置を検出する装置であり、ユーザの位置を検出した結果を表示制御装置３へ出力する。表示制御装置３は出力された結果を受信し、その受信した結果に基づいて、ユーザが孔２２を通して見える表示装置１の表示画面上の領域を、そのユーザのユーザＩＤに対して割り当てる表示装置１の表示画面上の領域、つまり、そのユーザが所有するアイコン（ユーザＩＤと対応付けられたアイコン）を表示する表示装置１の表示画面上の領域（表示領域）として、表示領域の領域座標を算出する。
【００３５】
本実施の形態において位置検出装置４は、発信機４１と受信機４２とを備え、発信機４１が複数の位置から超音波を発信し、発信された超音波をユーザＡ、Ｂの目の位置に近い額部付近に装着される、ユーザＩＤと対応付けられた受信機４２（４２ａ、４２ｂ）が受信するまでの時間を計測し、計測した時間に基づいて、ユーザＡ、Ｂの位置としての受信機４２ａ、４２ｂの位置を検出するものである。位置検出装置４は、この形態に限定するものではなく、例えば、磁気的に位置を検出するもの、光学的に位置を検出するもの、又は機械的に位置を検出するもの等の何れの形態であってもよい。また、本実施の形態においては本発明に係る表示システムのユーザとして、ユーザＩＤとして夫々Ａ、Ｂを有するユーザＡ、Ｂの２人の場合について述べるが、２人に限定するものではなく、３人以上であってもよい。
【００３６】
さらに、算出した領域座標に基づく表示領域に表示されるアイコンを移動する、アイコンについてのデータを変更する、表示を終了する等の操作を行うべくユーザＡ、Ｂが入力を行うための装置として、ユーザＩＤと対応付けられた入力装置５（５ａ、５ｂ）が備えられており、入力装置５への入力は表示制御装置３へ出力される。上述したアイコンの表示位置の移動は、入力装置５により、表示画面上に表示されるポインタで選択されたアイコンをドラッグして行われる。また、アイコンについてのデータの変更は、ポインタでアイコンを選択して行われる。なお、本実施の形態においては入力装置５を２個備える場合について述べるが、２個に限定するものではなく、３個以上であってもよい。
【００３７】
図２は、本発明に係る表示システムが備える表示制御装置３の構成を示すブロック図である。表示制御装置３は、演算を行うＣＰＵ３１と、ＲＡＭ３２と、ＣＤ−ＲＯＭドライブ等の外部記憶部３３と、ハードディスク等の内部記憶部３４とを備えている。本発明に係るＣＤ−ＲＯＭ等の記録媒体６から本発明に係るコンピュータプログラム６０、及びユーザ位置テーブル６１、表示領域テーブル６２、アイコンテーブル６３、ポインタテーブル６４を外部記憶部３３にて読み取り、読み取ったコンピュータプログラム６０、及びユーザ位置テーブル６１、表示領域テーブル６２、アイコンテーブル６３、ポインタテーブル６４を内部記憶部３４に記憶し、ＲＡＭ３２にコンピュータプログラム６０をロードして、ＣＰＵ３１はコンピュータプログラム６０に基づいて表示制御装置３に必要な処理を実行する。
【００３８】
また、表示制御装置３は、通信インタフェース３７を備え、通信インタフェース３７に接続しているサーバ装置３０から本発明に係るコンピュータプログラム６０、及びユーザ位置テーブル６１、表示領域テーブル６２、アイコンテーブル６３、ポインタテーブル６４をダウンロードし、ＣＰＵ３１にて処理を実行する形態であってもよい。
【００３９】
表示制御装置３は、さらに、キーボード又はマウス等の入力部３５と、ＣＲＴディスプレイ又は液晶ディスプレイ等の表示部３６とを備えており、本発明に係る表示システムの初期設定等のユーザの入力を入力部３５にて受け付ける。入力部３５にて受け付けた内容はＲＡＭ３２に記憶される。
【００４０】
ユーザ位置テーブル６１は、図１の位置検出装置４から受信したユーザＩＤ夫々と対応するユーザの位置を格納するテーブルであり、本実施の形態においては、ユーザＩＤと、受信機４２の空間的位置座標（ｘ座標、ｙ座標、ｚ座標）、受信機４２の位置から表示装置１を覆うカバー２１の孔２２の中心へ向かう直線（表示装置１に対するユーザの視線）の傾き（ｘ軸、ｙ軸、ｚ軸方向の傾き）とを対応付けて記憶する。
【００４１】
表示領域テーブル６２は、ユーザ位置テーブル６１に記憶した内容に基づいて算出した、各ユーザＩＤに対して割り当てる表示装置１の表示領域の座標を格納するテーブルである。本実施の形態においては、表示装置１の表示画面を覆うカバー２１の孔２２は円形であるため、表示装置１の表示画面上の、各ユーザから見える領域も円形となり、各ユーザＩＤに対して割り当てる表示領域は円形とするが、孔２２の形に対応する適宜の形であってよい。表示領域テーブル６２は、ユーザＩＤと、円形の表示領域の中心座標（ｘ座標、ｙ座標）、半径とを対応付けて記憶する。
【００４２】
アイコンテーブル６３は、表示領域テーブル６２に格納される座標を有する表示領域に表示するアイコンについてのデータを格納するテーブルである。アイコンテーブル６３は、図３に示すように、アイコン番号と、表示装置１の表示画面上のアイコンの現在表示位置の座標（ｘ座標、ｙ座標）、表示装置１の表示画面上のアイコンの基準表示位置の座標（ｘ座標、ｙ座標）、アイコンを所有するユーザを示すユーザＩＤ、アイコンと対応付けて記憶されるユーザＩＤとは異なるユーザＩＤ（他のユーザＩＤ）を有するユーザ（他のユーザ）に対して非公開であるか否か（公開か又は非公開か）とを対応付けて記憶する。非公開として記憶されるアイコン（非公開アイコン）は決して他のユーザに対して公開しないように表示される。一方、公開として記憶されるアイコン（公開アイコン）は、他のユーザに対して公開して表示される場合と、公開しない状態で表示される場合とがある。アイコンが公開か又は非公開か等のアイコンテーブル６３に格納されるデータは、入力装置５へのユーザによる入力によって変更することができる。
【００４３】
アイコンテーブル６３に記憶されるアイコンの基準表示位置は、アイコンを、そのアイコンと対応付けて記憶されるユーザＩＤに対して割り当てた表示装置１の表示領域に表示させるための、表示装置１の表示画面上の基準の表示位置である。この基準表示位置は、表示領域テーブル６２に格納される表示領域の座標に基づいて算出されるため、前記ユーザが移動した場合であっても、表示領域とアイコンの基準表示位置との相対的な位置関係がほぼ保たれるように算出される。なお、アイコンの基準表示位置は、入力装置５へのユーザによる入力により、そのアイコンと対応付けて記憶されるユーザＩＤに対して割り当てた表示領域内において変更することができる。また、アイコンの現在表示位置とは、そのアイコンと対応付けて記憶されるユーザＩＤに対して割り当てた表示領域において実際に表示するための表示装置１の表示画面上の位置である。このアイコンの現在表示位置は、基準表示位置と等しい場合と、基準表示位置と異なる場合とがあるが、詳細については後述する。
【００４４】
ポインタテーブル６４は、表示画面上のアイコンを指し示したりする際に用いるポインタに関するデータを格納するテーブルであり、ユーザＩＤと、表示装置１の表示画面上のポインタの表示位置の座標（ｘ座標、ｙ座標）、ポインタで選択されているアイコン番号とを対応付けて記憶する。
【００４５】
次に、本発明に係る表示システムが備える表示装置１の表示領域について図４を用いて説明する。なお、図４は、わかりやすくするため、本発明に係る表示システムのうち、表示装置１のみを模式的に示している。また、以下の説明において、ユーザＡ、Ｂ夫々のユーザＩＤと対応付けて記憶されるアイコンを、ユーザＡ、Ｂ夫々が所有するアイコンとして表現する。
【００４６】
図４（ａ）に示すような、ユーザＡとユーザＢとの位置（図４中に示さない受信機４２ａと受信機４２ｂとの位置）がある程度離れている状態においては、ユーザＡに対して割り当てた表示領域ＳａとユーザＢに対して割り当てた表示領域Ｓｂとは夫々独立している。表示装置１には表示画面を覆うカバー２１（図４中に示さない）が存在するので、ユーザＡはカバー２１が有する孔２２（図４中に示さない）を通して表示画面上の表示領域Ｓａに表示されるアイコンのみを見ることができる。同様に、ユーザＢは孔２２（図４中に示さない）を通して表示画面上の表示領域Ｓｂに表示されるアイコンのみを見ることができる。カバー２１（図４中に示さない）が存在するため、図４（ａ）の状態においては、表示領域Ｓａに表示されるユーザＡが所有するアイコンは、ユーザＢによって見られることはない。同様に表示領域Ｓｂに表示されるユーザＢが所有するアイコンも、ユーザＡによって見られることはない。
【００４７】
図４（ａ）の状態からユーザＡとユーザＢとの位置が互いに近づくことにより、図４（ｂ）に示すように表示領域Ｓａと表示領域Ｓｂとが互いに重なる共有領域ＣＳが生じる。この共有領域ＣＳの大きさは、ユーザＡとユーザＢとの相対的な位置によって変化する。共有領域ＣＳに表示されるアイコンは、ユーザＡ、Ｂの両方が孔２２（図４中に図示しない）を通して見ることができる。つまり、共有領域ＣＳにユーザＡが所有するアイコンが表示されることにより、そのアイコンはユーザＢに対して公開される。同様に、共有領域ＣＳにユーザＢが所有するアイコンが表示されることにより、そのアイコンはユーザＢに対して公開される。一方、表示領域Ｓａの共有領域ＣＳを除く領域に表示されるユーザＡが所有するアイコンは、カバー２１が存在するために、ユーザＢによって見られることはない。同様に、表示領域Ｓｂの共有領域ＣＳを除く領域に表示されるユーザＢが所有するアイコンは、ユーザＡによって見られることはない。
【００４８】
このようにして、ユーザＩＤに対して割り当てた表示領域が互いに重なる共有領域ＣＳが存在する場合に、１つの表示装置１において、共有領域ＣＳに表示されるアイコンは、そのアイコンを所有するユーザとは異なるユーザ（他のユーザ）に対して公開することができると共に、表示領域の共有領域ＣＳを除く領域に表示されるアイコンは他のユーザに対して非公開としたまま表示することができる。
【００４９】
次に、表示領域Ｓａ、Ｓｂの共有領域ＣＳが存在する場合のアイコンの表示方法について図５及び図６を用いて説明する。図５及び図６においては、表示装置１の表示画面上に表示される表示領域及びアイコンのみを示す。また、図中に示すアイコンＩ１、Ｉ２は共にユーザＡが所有するアイコンであり、アイコンＩ１が非公開アイコンであるのに対して、アイコンＩ２は公開アイコンである。また、アイコンＩ３、Ｉ４は共にユーザＢが所有するアイコンであり、アイコンＩ３が非公開アイコンであるのに対して、アイコンＩ４は公開アイコンである。
非公開アイコンの表示方法として、初期設定において、アイコン位置自動変更モードか又はアイコン位置固定モードかの選択を、表示制御装置３は入力部３５にて受け付ける。
【００５０】
まず、アイコン位置自動変更モードについて、図５（ａ）を用いて説明する。このモードにおいて、前述したアイコンテーブル６３に記憶されるアイコンの現在表示位置と基準表示位置とが異なる場合がある。
図５（ａ）の左側に示すように、ユーザＡ、Ｂ夫々の位置により、表示領域Ｓａと表示領域Ｓｂとが互いに重なる共有領域ＣＳが小さく、アイコンＩ１、Ｉ２、Ｉ３、Ｉ４夫々の基準表示位置が共有領域ＣＳに含まれない（アイコンＩ１、Ｉ２の基準表示位置が表示領域Ｓｂと重ならず、アイコンＩ３、Ｉ４の基準表示位置も表示領域Ｓａと重ならない）場合、アイコンＩ１、Ｉ２、Ｉ３、Ｉ４は、基準表示位置を現在表示位置として表示画面上に表示される。
【００５１】
図５（ａ）の左側の状態から、ユーザＡ又はユーザＢ、或いはユーザＡ、Ｂ両方が移動してユーザＡ、Ｂの位置が互いに近づくことにより、共有領域ＣＳは大きくなる。そして、図５（ａ）の右側に示すように、公開アイコンであるアイコンＩ２、Ｉ４夫々の基準表示位置が共有領域ＣＳに含まれる（アイコンＩ２の基準表示位置が表示領域Ｓｂと重なり、アイコンＩ４の基準表示位置も表示領域Ｓａと重なる）場合、アイコンＩ２、Ｉ４は、基準表示位置を現在表示位置として、共有領域ＣＳに表示される。
【００５２】
一方、非公開アイコンであるアイコンＩ１、Ｉ３夫々の基準表示位置が共有領域ＣＳに含まれる（アイコンＩ１の基準表示位置が表示領域Ｓｂと重なり、アイコンＩ３の基準表示位置も表示領域Ｓａと重なる）場合、アイコンＩ１は表示領域Ｓａの共有領域ＣＳを除く領域の適宜の位置（表示領域Ｓｂと重ならない適宜の位置）を現在表示位置として表示され、アイコンＩ３は表示領域Ｓｂの共有領域ＣＳを除く領域の適宜の位置（表示領域Ｓａと重ならない適宜の位置）を現在表示位置として表示される。よって、この場合にはアイコンＩ１、Ｉ３の現在表示位置は基準表示位置と異なる。このようにして、非公開アイコンであるアイコンＩ１、Ｉ３の表示位置は自動的に変更される。
【００５３】
図５（ａ）の右側の状態から、ユーザＡ又はユーザＢ、或いはユーザＡ、Ｂ両方が移動してユーザＡ、Ｂの位置が互いに遠ざかることにより、共有領域ＣＳは小さくなる。そして、非公開アイコンであるアイコンＩ１、Ｉ３の基準表示位置が共有領域ＣＳに含まれなくなる（アイコンＩ１の基準表示位置が表示領域Ｓｂと重ならなくなり、アイコンＩ３の基準表示位置も表示領域Ｓａと重ならなくなる）と、図５（ａ）の左側に示すように、アイコンＩ１、Ｉ３は、基準表示位置を現在表示位置として表示される。
以上のようにして、アイコン位置自動変更モードにおいては、非公開アイコンの基準表示位置が、他のユーザＩＤに対して割り当てた表示領域と重なる場合に、その非公開アイコンの表示位置は他のユーザＩＤに対して割り当てた表示領域と重ならない位置に自動的に変更されるので、非公開アイコンが他のユーザに対して公開されることはない。
【００５４】
次に、アイコン位置固定モードについて説明する。このモードにおいては、アイコン位置自動変更モードのようにアイコンの表示位置が変更されることはない。
図５（ｂ）の左側の状態から、ユーザＡ、Ｂの位置が互いに近づいて共有領域ＣＳが大きくなり、図５（ｂ）の右側に示すように、非公開アイコンであるアイコンＩ１、Ｉ３夫々の基準表示位置が共有領域ＣＳに含まれる（アイコンＩ１の基準表示位置が表示領域Ｓｂと重なり、アイコンＩ３の基準表示位置も表示領域Ｓａと重なる）場合、アイコンＩ１、Ｉ３は表示されない（図５（ｂ）の右側においては、アイコンＩ１、Ｉ３を破線で示す）。
【００５５】
そして、図５（ｂ）の右側の状態から、ユーザＡ、Ｂの位置が互いに遠ざかって共有領域ＣＳが小さくなり、アイコンＩ１、Ｉ３夫々の基準表示位置が共有領域ＣＳに含まれなくなる（アイコンＩ１の基準表示位置が表示領域Ｓｂと重ならなくなり、アイコンＩ３の基準表示位置も表示領域Ｓａと重ならなくなる）場合、図５（ｂ）の左側に示すように、アイコンＩ１、Ｉ３は基準表示位置を現在表示位置として表示される。
以上のように、アイコン位置固定モードにおいては、非公開アイコンの基準表示位置が、他のユーザＩＤに対して割り当てた表示領域と重なる場合に、その非公開アイコンの表示位置が変更されるのではなく、その非公開アイコンが一時的に表示されないので、非公開アイコンが他のユーザに対して公開されることはない。
【００５６】
また、上述した初期設定において、公開アイコンの表示方法として、ユーザＩＤの優先順位に関する、ユーザ対等モードか又はユーザ非対等モードかの選択を、表示制御装置３は入力部３５にて受け付ける。なお、前述したアイコン位置自動変更モード及びアイコン位置固定モードについては、ユーザ対等モードが選択されている場合について説明している。
ユーザ対等モード及びユーザ非対等モードについて図６を用いて説明するが、図６においては、簡単のため、アイコンとして非公開アイコンのアイコンＩ１、Ｉ３を省略し、公開アイコンのアイコンＩ２、Ｉ４のみを示す。
【００５７】
まず、ユーザ対等モードについて、図６（ａ）を用いて説明する。このモードにおいては、ユーザＩＤの優先順位はなく、ユーザＩＤは互いに対等である。図６（ａ）の左側に示すような、表示領域Ｓａと表示領域Ｓｂとが互いに重なる共有領域が存在しない状態から、ユーザＡ、Ｂの位置が互いに近づくことにより、共有領域ＣＳが生じる。そして、図６（ａ）の右側に示すように、公開アイコンであるアイコンＩ２、Ｉ４夫々の基準表示位置が共有領域ＣＳに含まれる（アイコンＩ２の基準表示位置が表示領域Ｓｂと重なり、アイコンＩ４の基準表示位置も表示領域Ｓａと重なる）場合、ユーザＡ、Ｂの両方が夫々所有するアイコンＩ２、Ｉ４は基準表示位置を現在表示位置として共有領域ＣＳに表示される。
以上のように、ユーザ対等モードにおいて、公開アイコンは他のユーザに対して対等に公開される。
【００５８】
次に、ユーザ非対等モードについて、図６（ｂ）を用いて説明する。このモードにおいては、ユーザＩＤの優先順位があり、例えばユーザＡはユーザＢよりも優先順位が低い場合について以下に説明する。
図６（ｂ）の左側に示すような、表示領域Ｓａと表示領域Ｓｂとが互いに重なる共有領域が存在しない状態から、ユーザＡ、Ｂの位置が互いに近づいて共有領域ＣＳが生じ、図６（ｂ）の右側に示すように、公開アイコンであるアイコンＩ２、Ｉ４夫々の基準表示位置が共有領域ＣＳに含まれる（アイコンＩ２の基準表示位置が表示領域Ｓｂと重なり、アイコンＩ４の基準表示位置も表示領域Ｓａと重なる）場合、優先順位が低い方のユーザＡが所有するアイコンＩ２のみが共有領域ＣＳに表示される。そして、優先順位が高い方のユーザＢが所有するアイコンＩ４は表示されない（図６（ｂ）の右側においては、アイコンＩ４を破線で示す）。
【００５９】
このように、ユーザ非対等モードにおいては、共有領域ＣＳには、優先順位が低い方のユーザＩＤのユーザが所有する公開アイコンのみが表示される。よって、優先順位が低い方のユーザＩＤのユーザが所有する公開アイコンは優先順位が高い方のユーザＩＤのユーザに対して公開され、優先順位が高い方のユーザＩＤのユーザが所有する公開アイコンは優先順位が低い方のユーザＩＤのユーザに対しては公開されない。
【００６０】
以下、本発明に係る表示制御装置３のＣＰＵ３１の処理手順を、図７、図８及び図９に示すフローチャートに基づいて説明する。
まず、ＣＰＵ３１は、表示制御装置３の入力部３５又は入力装置５へのユーザによる初期設定を受け付ける（ステップＳ１０１）。この初期設定においては、ユーザの登録、アイコンテーブル６３に格納されるアイコンについてのデータの設定、アイコン位置自動変更モードか又はアイコン位置固定モードかの選択、ユーザ対等モードか又はユーザ非対等モードかの選択等を受け付ける。
【００６１】
ステップＳ１０１の処理後、ＣＰＵ３１は、位置検出装置４から受信した検出した受信機４２の位置に基づいて、各ユーザＩＤに対して割り当てる表示領域の座標を算出し（ステップＳ１０２）、ポインタの表示位置の座標を算出する（ステップＳ１０３）。このポインタの表示位置の座標は、ステップＳ１０２にて算出した表示領域の座標に基づいて算出され、ユーザによる入力装置５へのポインタの表示位置の変更の入力が有った場合、この変更を加えたポインタの表示位置の座標が算出される。
【００６２】
ステップＳ１０３の処理後、ＣＰＵ３１は、ユーザによる入力装置５へのポインタでのアイコンの選択又は選択解除の変更の入力が有ったか否かを判定し（ステップＳ１０４）、有ったと判定した場合（ステップＳ１０４：ＹＥＳ）、ポインタテーブル６４のポインタで選択されているアイコン番号の項目を変更する（ステップＳ１０５）。ステップＳ１０４においてポインタでのアイコンの選択又は選択解除の変更の入力は無いと判定した場合（ステップＳ１０４：ＮＯ）、又は、ステップＳ１０５の処理後、ＣＰＵ３１は、ユーザによる入力装置５への選択されているアイコンについてのデータの変更の入力が有ったか否かを判定し（ステップＳ１０６）、有ったと判定した場合（ステップＳ１０６：ＹＥＳ）、ＣＰＵ３１は、選択されているアイコンについて、アイコンテーブル６３に格納されるデータを変更する（ステップＳ１０７）。この変更には、例えば、アイコンの公開か又は非公開かの変更、アイコンの削除等がある。
【００６３】
ステップＳ１０６においてアイコンについてのデータの変更の入力は無いと判定した場合（ステップＳ１０６：ＮＯ）、又は、ステップＳ１０７の処理後、ＣＰＵ３１は、各アイコンの基準表示位置の座標を算出する（ステップＳ１０８）。このアイコンの基準表示位置の座標は、ステップＳ１０２にて算出した表示領域の座標に基づいて算出され、ユーザによる入力装置５への選択されているアイコンの表示位置の変更の入力が有った場合、この変更を加えたアイコンの基準表示位置の座標が算出される。ステップＳ１０８の処理後、ステップＳ１０２にて算出した表示領域の座標、及び、算出したアイコンの基準表示位置の座標に基づいて、ＣＰＵ３１は、アイコンテーブル６３において非公開として記憶されるアイコン（非公開アイコン）の中に、その基準表示位置の座標が、その非公開アイコンと対応付けて記憶されるユーザＩＤとは異なるユーザＩＤ（他のユーザＩＤ）に対して割り当てた表示領域と重なる非公開アイコンが有るか否かを判定する（ステップＳ１０９）。
【００６４】
ステップＳ１０９において、その基準表示位置の座標が、他のユーザＩＤに対して割り当てた表示領域に含まれる非公開アイコンが有ると判定した場合（ステップＳ１０９：ＹＥＳ）、ＣＰＵ３１は、ステップＳ１０１の初期設定においてアイコン位置自動変更モードが選択されたか否かを判定する（ステップＳ１１０）。ステップＳ１１０においてアイコン位置自動変更モードが選択されていると判定した場合（ステップＳ１１０：ＹＥＳ）、ＣＰＵ３１は、その基準表示位置の座標が他のユーザＩＤに対して割り当てた表示領域と重なる非公開アイコンの現在表示位置の座標を算出する（ステップＳ１１１）。ステップＳ１１０において、アイコン位置自動変更モードが選択されていない（アイコン位置固定モードが選択されている）と判定した場合（ステップＳ１１０：ＮＯ）、ＣＰＵ３１は、その基準表示位置の座標が他のユーザＩＤに対して割り当てた表示領域と重なる非公開アイコンを表示しないようにすべく、その非公開アイコンの現在表示位置の座標を無しとして設定する（ステップＳ１１２）。
【００６５】
ステップＳ１０９においてその基準表示位置の座標が他のユーザＩＤに対して割り当てた表示領域と重なる非公開アイコンは無いと判定した場合（ステップＳ１０９：ＮＯ）、ステップＳ１１１の処理後、又はステップＳ１１２の処理後、ＣＰＵ３１は、ステップＳ１０２にて算出した表示領域の座標、及び、ステップＳ１０８にて算出したアイコンの基準表示位置の座標に基づいて、ＣＰＵ３１は、アイコンテーブル６３において公開として記憶されるアイコン（公開アイコン）の中に、その基準表示位置の座標が、その公開アイコンと対応付けて記憶されるユーザＩＤとは異なるユーザＩＤ（他のユーザＩＤ）に対して割り当てた表示領域と重なる公開アイコンが有るか否かを判定する（ステップＳ１１３）。
【００６６】
ステップＳ１１３においてその基準表示位置の座標が他のユーザＩＤに対して割り当てた表示領域と重なる公開アイコンが有ると判定した場合（ステップＳ１１３：ＹＥＳ）、ＣＰＵ３１は、ステップＳ１０１の初期設定においてユーザ非対等モードが選択されたか否かを判定する（ステップＳ１１４）。ステップＳ１１４においてユーザ非対等モードが選択されていると判定した場合（ステップＳ１１４：ＹＥＳ）、ＣＰＵ３１は、その基準表示位置の座標が他のユーザＩＤに対して割り当てた表示領域と重なる公開アイコンのうちの、優先順位が高い方のユーザＩＤと対応付けて記憶される公開アイコンを表示しないようにすべく、その公開アイコンの現在表示位置の座標を無しとして設定する（ステップＳ１１５）。
【００６７】
ステップＳ１１３においてその基準表示位置の座標が他のユーザＩＤに対して割り当てた表示領域と重なる公開アイコンは無いと判定した場合（ステップＳ１１３：ＮＯ）、ステップＳ１１４においてユーザ非対等モードが選択されていない（ユーザ対等モードが選択されている）と判定した場合（ステップＳ１１４：ＮＯ）、又は、ステップＳ１１５の処理後、ＣＰＵ３１は、現在表示位置の座標が未だ設定されていない残りのアイコンの現在表示位置の座標を、ステップＳ１０８において算出した基準表示位置の座標に設定する（ステップＳ１１６）。
【００６８】
ステップＳ１１６の処理後、ステップＳ１０２において算出した表示領域の座標、ステップＳ１０３において算出したポインタの表示位置の座標、ステップＳ１０５においてアイコンの選択又は選択解除を変更の入力が有った場合にはその変更、及び上述した処理において算出又は設定したアイコンの現在表示位置の座標に基づいて、ＣＰＵ３１は、表示装置１に、表示領域、ポインタ及びアイコンを表示させる（ステップＳ１１７）。表示領域について、ステップＳ１０１の初期設定においてユーザ対等モードが選択されている場合に、表示領域が互いに重なる共有領域が存在するときには、その共有領域が認識できるように表示させる。また、ステップＳ１０１の初期設定においてユーザ非対等モードが選択されている場合に共有領域が存在するときには、その共有領域を、優先順位が低い方のユーザＩＤに対して割り当てた表示領域として表示させる。また、各ユーザＩＤについてエラーが発生している場合には、そのエラーをステップＳ１１７において共に表示させる。
【００６９】
ステップＳ１１７の処理後、ＣＰＵ３１は、ユーザによる表示制御装置３の入力部３５又は入力装置５への表示終了の入力が有ったか否かを判定し（ステップＳ１１８）、表示終了の入力は無いと判定した場合（ステップＳ１１８：ＮＯ）、ステップＳ１０２へ処理を戻す。ステップＳ１１８において表示終了の入力が有ったと判定した場合（ステップＳ１１８：ＹＥＳ）、ＣＰＵ３１は処理を終了する。
【００７０】
実施の形態２
図１０は、本発明に係る表示システムの実施の形態２の構成を示す概念図である。
実施の形態２の表示システムは、実施の形態１の位置検出装置４を備えない構成としたものである。実施の形態１と同一部分には同一符号を付してある。
【００７１】
実施の形態２の表示システムが備える表示装置１の、複数のユーザ各々が所有する情報（複数のユーザＩＤ各々と対応付けられた情報）としてのアイコンの表示領域は、互いに重なる共有領域が存在するように予め設定されている。例えばユーザが２人の場合、図中に示すように、ユーザＡ、Ｂが夫々所有するアイコンを表示する表示領域Ｓａ、Ｓｂが互いに重なる共有領域ＣＳが存在するように予め設定されている。この表示領域Ｓａ、ＳｂはユーザＩＤ各々に対して割り当ててある。ユーザＡ、Ｂは夫々、表示装置１の周辺の、各ユーザＩＤに対して割り当ててある表示領域Ｓａ、Ｓｂをカバー２１の孔２２を通して見ることができる位置に配置する。
【００７２】
これにより、ユーザＡは表示領域Ｓａに表示されるアイコンのみを孔２２を通して見ることができ、同様に、ユーザＢは表示領域Ｓｂに表示されるアイコンのみを孔２２を通して見ることができる。つまり、共有領域ＣＳに表示されるアイコンは、ユーザＡ、Ｂの両方が見ることができる。なお、カバー２１が存在するために、ユーザＡは孔２２を通して表示領域Ｓｂの共有領域ＣＳを除く領域に表示されるアイコンを見ることはできず、同様に、ユーザＢは孔２２を通して表示領域Ｓａの共有領域ＣＳを除く領域に表示されるアイコンを見ることはできない。
【００７３】
実施の形態２の表示システムが備える表示制御装置３は、図１１に示すように、記録媒体７からコンピュータプログラム７０、及び表示領域テーブル７１、アイコンテーブル７２、ポインタテーブル７３を外部記憶部３３にて読み取り、読み取ったコンピュータプログラム７０、及び表示領域テーブル７１、アイコンテーブル７２、ポインタテーブル７３を内部記憶部３４に記憶し、ＲＡＭ３２にコンピュータプログラム７０をロードして、ＣＰＵ３１はコンピュータプログラム７０に基づいて表示制御装置３に必要な処理を実行する。
また、表示制御装置３は、通信インタフェース３７に接続しているサーバ装置３０からコンピュータプログラム７０、及び表示領域テーブル７１、アイコンテーブル７２、ポインタテーブル７３をダウンロードし、ＣＰＵ３１にて処理を実行する形態であってもよい。
【００７４】
表示領域テーブル７１は、上述したユーザＩＤに対して予め割り当ててある表示装置１の表示領域の座標を格納するテーブルであり、実施の形態１の表示領域テーブル６２と同様に、ユーザＩＤと、表示領域の中心座標（ｘ座標、ｙ座標）、半径とを対応付けて記憶する。
【００７５】
アイコンテーブル７２は、図１２に示すように、アイコン番号と、表示装置１の表示画面上のアイコンの表示位置の座標（ｘ座標、ｙ座標）、アイコンを所有するユーザのユーザＩＤ、アイコンと対応付けて記憶されるユーザＩＤとは異なるユーザＩＤ（他のユーザＩＤ）を有するユーザ（他のユーザ）に対して公開か又は非公開かとを対応付けて記憶する。公開として記憶されるアイコン（公開アイコン）は他のユーザに対して公開すべく、共有領域に表示される。また、非公開として記憶されるアイコン（非公開アイコン）は他のユーザに対して公開しないようにすべく、各ユーザのユーザＩＤに対して割り当ててある表示領域の共有領域を除く領域に表示される。アイコンが公開か又は非公開か等のアイコンテーブル７２に格納されるデータは、入力装置５へのユーザによる入力によって変更することができる。
【００７６】
ポインタテーブル７３は、実施の形態１のポインタテーブル６４と同様のテーブルであり、ポインタの表示位置の座標として、初期設定時には表示領域の適宜の位置の座標が予め設定されている。
【００７７】
以下、本発明の実施の形態２に係る表示制御装置３のＣＰＵ３１の処理手順を、図１３及び図１４に示すフローチャートに基づいて説明する。
まず、ＣＰＵ３１は、表示制御装置３の入力部３５又は入力装置５へのユーザによる初期設定を受け付ける（ステップＳ２０１）。この初期設定では、ユーザの登録、アイコンテーブル７２に格納されるアイコンについてのデータの設定等を受け付ける。
【００７８】
ステップＳ２０１の処理後、ＣＰＵ３１は、アイコンテーブル７２において公開として記憶されるアイコン（公開アイコン）の表示位置の座標を算出する（ステップＳ２０２）。この公開アイコンの表示位置の座標は、共有領域に含まれるように算出される。ステップＳ２０２の処理後、ＣＰＵ３１は、アイコンテーブル７２において非公開として記憶されるアイコン（非公開アイコン）の表示位置の座標を算出する（ステップＳ２０３）。この非公開アイコンの表示位置の座標は、その非公開アイコンと対応付けて記憶されるユーザＩＤに割り当ててある表示領域の、共有領域を除く領域に含まれるように算出される。
【００７９】
ステップＳ２０２及びステップＳ２０３の処理後、表示領域テーブル７１に格納されている表示領域の座標、ポインタテーブル７３に格納されているポインタの表示位置の座標、及び算出したアイコンの表示位置の座標に基づいて、ＣＰＵ３１は、表示装置１に、表示領域、ポインタ及びアイコンを表示させる（ステップＳ２０４）。表示領域は、共有領域が認識できるように表示させる。
【００８０】
ステップＳ２０４の処理後、ＣＰＵ３１は、ユーザによる入力装置５へのポインタの表示位置の変更の入力が有ったか否かを判定し（ステップＳ２０５）、有ったと判定した場合（ステップＳ２０５：ＹＥＳ）、変更を加えたポインタの表示位置の座標を算出する（ステップＳ２０６）。
【００８１】
ステップＳ２０５においてポインタの表示位置の変更の入力は無いと判定した場合（ステップＳ２０５：ＮＯ）、又は、ステップＳ２０６の処理後、ＣＰＵ３１は、ユーザによる入力装置５へのポインタでのアイコンの選択又は選択解除の変更の入力が有ったか否かを判定し（ステップＳ２０７）、有ったと判定した場合（ステップＳ２０７：ＹＥＳ）、ポインタテーブル７３のポインタで選択されているアイコン番号の項目を変更する（ステップＳ２０８）。
【００８２】
ステップＳ２０７においてポインタでのアイコンの選択又は選択解除の変更の入力は無いと判定した場合（ステップＳ２０７：ＮＯ）、又は、ステップＳ２０８の処理後、ＣＰＵ３１は、ユーザによる入力装置５への選択されているアイコンの表示位置の変更の入力が有ったか否かを判定し（ステップＳ２０９）、有ったと判定した場合（ステップＳ２０９：ＹＥＳ）、選択されているアイコンについて、変更を加えたアイコンの表示位置の座標を算出する（ステップＳ２１０）。
【００８３】
ステップＳ２０９においてアイコンの表示位置の変更の入力は無いと判定した場合（ステップＳ２０９：ＮＯ）、又は、ステップＳ２１０の処理後、ＣＰＵ３１は、ユーザによる入力装置５への選択されているアイコンについてのデータの変更の入力が有ったか否かを判定し（ステップＳ２１１）、有ったと判定した場合（ステップＳ２１１：ＹＥＳ）、選択されているアイコンについて、アイコンテーブル７２に格納されるデータを変更する（ステップＳ２１２）。この変更には、例えば、アイコンが公開か又は非公開かの変更、アイコンの削除等がある。なお、アイコンが公開か又は非公開かの変更の入力であった場合には、そのアイコンについて適宜の表示位置の座標を算出する。
【００８４】
ステップＳ２１１においてアイコンについてのデータの変更の入力は無いと判定した場合（ステップＳ２１１：ＮＯ）、又は、ステップＳ２１２の処理後、ＣＰＵ３１は、ステップＳ２０６、ステップＳ２０８、ステップＳ２１０又はステップＳ２１２における算出又は変更によって、ポインタ又はアイコンの表示の変更は有るか否かを判定する（ステップＳ２１３）。ステップＳ２１３においてポインタ又はアイコンの表示の変更は有ると判定した場合（ステップＳ２１３：ＹＥＳ）、ＣＰＵ３１は、表示装置１に、ポインタ又はアイコンの表示を変更して表示させる（ステップＳ２１４）。
【００８５】
ステップＳ２１３においてポインタ又はアイコンの表示の変更は無いと判定した場合（ステップＳ２１３：ＮＯ）、又は、ステップＳ２１４の処理後、ＣＰＵ３１は、ユーザによる表示制御装置３の入力部３５又は入力装置５への表示終了の入力が有ったか否かを判定し（ステップＳ２１５）、表示終了の入力が無いと判定した場合（ステップＳ２１５：ＮＯ）、ステップＳ２０５へ処理を戻す。ステップＳ２１５において、表示終了の入力が有ったと判定した場合（ステップＳ２１５：ＹＥＳ）、ＣＰＵ３１は処理を終了する。
【００８６】
実施の形態３
図１５は、本発明に係る表示システムの実施の形態３の構成を示す概念図である。
実施の形態３の表示システムは、実施の形態２のカバー２１を、略中央部に孔２４を有する、カバーとしてのスクリーン２３とし、このスクリーン２３に対して画像を投影する投影装置８を備えるようにしたものである。実施の形態２と同一部分には同一符号を付してある。本実施の形態においても、孔２４を円形とするが、これに限定するものではなく、適宜の形であってよい。
【００８７】
実施の形態３の表示システムが備える表示装置１の複数のユーザ各々が所有する情報（複数のユーザＩＤ各々と対応付けられた情報）としてのアイコンの表示領域は、互いに重なる共有領域が存在しないように予め設定されている。例えばユーザが２人の場合、図中に示すように、ユーザＡ、Ｂが夫々所有するアイコンを表示する表示領域Ｓａ、Ｓｂが互いに重なる共有領域が存在しないように設定されている。この表示領域Ｓａ、ＳｂはユーザＩＤ各々に対して割り当ててある。ユーザＡ、Ｂは夫々、実施の形態２と同様に、表示装置１の周辺の、各ユーザＩＤに対して割り当ててある表示装置１の表示領域Ｓａ、Ｓｂをスクリーン２３の孔２４を通して見ることができる位置に配置する。
【００８８】
これにより、ユーザＡは表示装置１の表示領域Ｓａに表示されるアイコンを孔２４を通して見ることができ、同様に、ユーザＢは表示装置１の表示領域Ｓｂに表示されるアイコンを孔２４を通して見ることができる。なお、スクリーン２３が存在するので、ユーザＡは孔２４を通して表示装置１の表示領域Ｓｂに表示されるアイコンを見ることはできず、同様に、ユーザＢは孔２４を通して表示装置１の表示領域Ｓａに表示されるアイコンを見ることはできない。さらに、スクリーン２３に表示されるアイコンは、ユーザＡ、Ｂの両方が見ることができる。
【００８９】
また、実施の形態３の表示システムが備える表示制御装置３の構成は、図１１に示す実施の形態２の表示制御装置３の構成と同様である。
実施の形態３のアイコンテーブル７２は、図１２に示す実施の形態２のアイコンテーブル７２と同様であるが、図１２中のアイコンテーブル７２の表示位置のｘ座標及びｙ座標は、本実施の形態においては、表示装置１の表示画面上又はスクリーン２３のアイコンの表示位置のｘ座標及びｙ座標である。アイコンテーブル７２において公開として記憶されるアイコン（公開アイコン）は他のユーザに対して公開すべく、投影装置８によりスクリーン２３に表示される。また、非公開として記憶されるアイコン（非公開アイコン）は他のユーザに対して公開しないようにすべく、各ユーザのユーザＩＤに対して割り当ててある表示装置１の表示領域に表示される。
【００９０】
以上のようにして、スクリーン２３に表示される公開アイコンは他のユーザに対して公開すると共に、表示装置１の表示領域に表示されるアイコンは他のユーザに対して非公開としたまま表示することができる。
【００９１】
実施の形態４
図１６は、本発明に係る表示システムの実施の形態４の構成を示す概念図である。
実施の形態４の表示システムは、実施の形態３のスクリーン２３を、略中央部に孔２６を有する液晶ディスプレイ等の第１表示装置２５とし、実施の形態３の投影装置８を備えないようにしたものである。実施の形態３と同一部分には同一符号を付してある。本実施の形態においても、孔２４を円形とするが、これに限定するものではなく、適宜の形であってよい。
【００９２】
実施の形態４の表示システムが備える表示装置（第２表示装置）１の、複数のユーザ各々が所有する情報（複数のユーザＩＤ各々と対応付けられた情報）としてのアイコンの表示領域は、実施の形態３と同様に、互いに重なる共有領域が存在しないように予め設定されている。例えばユーザが２人の場合、実施の形態３と同様に、図中に示すように、ユーザＡ、Ｂが夫々所有するアイコンを表示する第２表示装置１の表示領域Ｓａ、Ｓｂが互いに重なる共有領域が存在しないように設定されている。この表示領域Ｓａ、ＳｂはユーザＩＤ各々に対して割り当ててある。ユーザＡ、Ｂは夫々、実施の形態２及び３と同様に、第２表示装置１の周辺の、各ユーザＩＤに対して割り当ててある第２表示装置１の表示領域Ｓａ、Ｓｂを第１表示装置２５の孔２６を通して見ることができる位置に配置する。
【００９３】
これにより、ユーザＡは第２表示装置１の表示領域Ｓａに表示されるアイコンを孔２６を通して見ることができ、同様に、ユーザＢは第２表示装置１の表示領域Ｓｂに表示されるアイコンを孔２６を通して見ることができる。なお、第１表示装置２５が存在するので、ユーザＡは孔２６を通して第２表示装置１の表示領域Ｓｂに表示されるアイコンを見ることはできず、同様に、ユーザＢは孔２６を通して第２表示装置１の表示領域Ｓａに表示されるアイコンを見ることはできない。さらに、第１表示装置２５に表示されるアイコンは、ユーザＡ、Ｂの両方が見ることができる。
【００９４】
また、実施の形態４の表示システムが備える表示制御装置３の構成は、実施の形態３の表示制御装置３と同様に、図１１に示す実施の形態２の表示制御装置３の構成と同様である。
実施の形態４のアイコンテーブル７２は、実施の形態３と同様に、図１２に示す実施の形態２のアイコンテーブル７２と同様であるが、図１２中のアイコンテーブル７２の表示位置のｘ座標及びｙ座標は、第２表示装置１の表示画面上又は第１表示装置２５の表示画面上のアイコンの表示位置のｘ座標及びｙ座標である。アイコンテーブル７２において公開として記憶されるアイコン（公開アイコン）は他のユーザに対して公開すべく、第１表示装置２５の表示画面上に表示される。また、非公開として記憶されるアイコン（非公開アイコン）は他のユーザに対して公開しないようにすべく、各ユーザのユーザＩＤに対して割り当ててある第２表示装置１の表示領域に表示される。
【００９５】
以上のようにして、第１表示装置２５の表示画面上に表示される公開アイコンは他のユーザに対して公開すると共に、第２表示装置１の表示領域に表示されるアイコンは他のユーザに対して非公開としたまま表示することができる。
【００９６】
なお、実施の形態１及び２において、表示装置１の表示領域が互いに重なる共有領域が認識できるように表示領域を表示させる形態としたが、表示領域を表示させずに、アイコンが共有領域に表示されているのか、又は、表示領域の共有領域を除く領域に表示されているのかが認識できるように、例えば、共有領域に表示させるアイコンと、共有領域を除く領域に表示させるアイコンとを色等によって区別して表示させる形態であってもよい。実施の形態３及び４においても、表示領域を表示させない形態としてもよい。
【００９７】
また、実施の形態３及び４において、表示装置（第２表示装置）１の表示領域は、互いに重なる共有領域が存在しないように設定する形態としたが、互いに重なる共有領域が存在するように設定することにより、スクリーン２３又は第１表示装置２５の表示画面に加えて、表示装置（第２表示装置）１の前記共有領域に公開アイコンを表示させるようにしてもよい。
【００９８】
また、実施の形態３及び４において、実施の形態１の位置検出装置４を備えることにより、位置検出装置４が検出するユーザの位置に基づいて、そのユーザのユーザＩＤに対して割り当てる表示装置（第２表示装置）１の表示領域の座標を算出し、実施の形態１と同様に、表示装置（第２表示装置）１の表示領域が互いに重なる共有領域が存在する場合に、表示装置（第２表示装置）１に表示される非公開アイコンを非公開とする処理を行う形態としてもよい。
【００９９】
さらに、実施の形態１乃至４において、表示装置（第２表示装置）１の表示画面が、図示しない床面等に対して水平になるように設置し、その表示画面をカバー２１、スクリーン２３又は第１表示装置２５が覆う形態を、図１、図４、図１０、図１５及び図１６に示しているが、これに限定するものではなく、例えば、表示装置（第２表示装置）１の表示画面が図示しない床面等に対して垂直又は斜めになるように設置し、その表示画面をカバー２１、スクリーン２３又は第１表示装置２５が覆う形態であってもよい。
【０１００】
【発明の効果】
第１発明及び第３発明によれば、表示装置の表示画面上の共有領域に、各ユーザＩＤと対応付けられた公開情報を表示し、各ユーザＩＤに対して割り当てた表示画面上の領域の前記共有領域を除く領域に、各領域を割り当てられたユーザＩＤと対応付けられた非公開情報を表示することにより、１つの表示装置の表示画面上において、複数のユーザＩＤ各々と対応付けられた公開情報及び非公開情報を表示することができる。
【０１０１】
これにより、複数のユーザＩＤ夫々を有する各ユーザは、自身が所有する公開情報と非公開情報とが１つの表示装置の表示画面上に隣接して表示されるので、公開情報と非公開情報との両方についての作業を並行して行うことができ、また、各情報の相関を明確に理解することができるので作業効率が良い。よって、本発明は、例えば、コンピュータを用いての会社等の業務報告、トランプ又は麻雀等のコンピュータゲーム等、幅広く適用させることが可能である。さらに、複数のユーザが１つの表示装置を囲んで顔を突き合わせて協調作業を行うことができるので、活発なコミュニケーションを行いながら作業を進めることも可能である。
【０１０２】
第２発明、第４発明、第１０発明、第１３発明及び第１４発明によれば、検出したユーザの位置に基づいて、ユーザＩＤに対して割り当てる表示装置の表示画面上の領域の座標を算出し、算出した領域の座標に基づいてユーザＩＤ各々と対応付けられた情報を表示すべき前記表示画面上の位置座標を算出する。そして、非公開情報の位置座標が、該非公開情報と対応付けられたユーザＩＤとは異なるユーザＩＤに対して割り当てた領域と重なるか否かを判定し、重なると判定した場合、前記非公開情報を前記ユーザＩＤに対して非公開とすることにより、非公開情報を他のユーザＩＤに対して公開することはない。
また、非公開情報の位置座標が、他のユーザＩＤに対して割り当てた領域と重ならない場合、その非公開情報を他のユーザＩＤに対して非公開としたまま表示することができる。さらに、公開情報の位置座標が、他のユーザＩＤに対して割り当てた領域と重なる場合、その情報を他のユーザＩＤに対して公開して表示することができる。ゆえに、１つの表示装置において、複数のユーザＩＤと対応付けて記憶される情報のうち、公開情報を公開させて表示し、かつ、非公開情報を非公開として表示することができる。
【０１０３】
これにより、複数のユーザＩＤ夫々を有する各ユーザは、自身が所有する情報のうち他のユーザに公開した状態の公開情報と、他のユーザに非公開とした状態の非公開情報とが１つの表示装置の表示画面上に隣接して表示されるので、公開情報と非公開情報との両方についての作業を並行して行うことができ、また、各情報の相関を明確に理解することができるので作業効率が良い。よって、本発明は、例えば、コンピュータを用いての会社等の業務報告、トランプ又は麻雀等のコンピュータゲーム等、幅広く適用させることが可能である。さらに、ユーザ同士の位置関係により、各ユーザは、公開情報を実際に他のユーザに対して公開させて表示する、又は他のユーザに対して公開させずに表示することができるので、他のユーザに対して公開情報を実際に公開するかしないかの駆け引きを行うこともできるので、例えば、コンピュータでの株又はドルの売買等に適用させることができる。
【０１０４】
第５発明及び第１１発明によれば、ユーザＩＤに対応するユーザの位置によって、算出した非公開情報の位置座標が、他のユーザＩＤに対して割り当てた領域と重なる場合に、その位置座標を変更することにより、非公開情報を他のユーザＩＤに対して非公開として表示することができる。これにより、ユーザは、表示装置の表示画面上に表示される公開情報と非公開情報との両方についての作業を並行して行うことができる。
【０１０５】
第６発明及び第１２発明によれば、ユーザＩＤに対応するユーザの位置によって、算出した非公開情報の位置座標が、他のユーザＩＤに対して割り当てた領域と重なる場合に、その非公開情報を表示しないことにより、その非公開情報を他のユーザＩＤに対して非公開とすることができる。
【０１０６】
第７発明によれば、入力装置により情報の位置座標を変更することにより、ユーザは、ユーザＩＤに対して割り当てられた領域における所望の位置に情報を表示させることができる。例えば、各ユーザＩＤに対して割り当てた領域が互いに重なる共有領域が存在する場合に、各ユーザは、公開情報の位置座標を変更することにより、公開情報を、他のユーザに対して実際に公開させるように共有領域に表示するか、又は他のユーザに対して公開させないように共有領域を除く領域に表示するかの変更を行うことができる。
【０１０７】
第８発明によれば、表示装置の、ユーザＩＤ各々に対して割り当てられる表示画面上の領域に、ユーザＩＤ各々と対応付けられた情報のうちの非公開情報を表示すると共に、ユーザＩＤ各々と対応付けられた情報のうちの公開情報を、スクリーンの役割を果たすカバーの表面上に投影装置によって表示することにより、各ユーザＩＤに対応付けられた非公開情報と公開情報とを隣接する場所に表示することができる。これにより、複数のユーザＩＤ夫々を有する各ユーザは、公開情報と非公開情報との両方についての作業を並行して行うことができ、また、各情報の相関を明確に理解することができるので作業効率が良い。
【０１０８】
第９発明によれば、第２表示装置の、ユーザＩＤ各々に対して割り当てられる表示画面上の領域に、ユーザＩＤ各々と対応付けられた情報のうちの非公開情報を表示すると共に、ユーザＩＤ各々と対応付けられた情報のうちの公開情報を第１表示装置に表示することにより、各ユーザＩＤに対応付けられた非公開情報と公開情報とを隣接する場所に表示することができる。これにより、複数のユーザＩＤ夫々を有する各ユーザは、公開情報と非公開情報との両方についての作業を並行して行うことができ、また、各情報の相関を明確に理解することができるので作業効率が良い。
【図面の簡単な説明】
【図１】本発明に係る表示システムの構成を示す概念図である。
【図２】本発明に係る表示制御装置の構成を示すブロック図である。
【図３】アイコンテーブルの記憶内容を示す概念図である。
【図４】表示装置の表示領域を示す説明図である。
【図５】非公開アイコンの表示方法を示す説明図である。
【図６】公開アイコンの表示方法を示す説明図である。
【図７】本発明に係る表示制御装置のＣＰＵの処理手順を示すフローチャートである。
【図８】本発明に係る表示制御装置のＣＰＵの処理手順を示すフローチャートである。
【図９】本発明に係る表示制御装置のＣＰＵの処理手順を示すフローチャートである。
【図１０】本発明の実施の形態２に係る表示システムの構成を示す概念図である。
【図１１】本発明の実施の形態２に係る表示制御装置の構成を示すブロック図である。
【図１２】実施の形態２のアイコンテーブルの記憶内容を示す概念図である。
【図１３】本発明の実施の形態２に係る表示制御装置のＣＰＵの処理手順を示すフローチャートである。
【図１４】本発明の実施の形態２に係る表示制御装置のＣＰＵの処理手順を示すフローチャートである。
【図１５】本発明の実施の形態３に係る表示システムの構成を示す概念図である。
【図１６】本発明の実施の形態４に係る表示システムの構成を示す概念図である。
【符号の説明】
１  表示装置（第２表示装置）
２１  カバー
２２、２４、２６  孔
２３  スクリーン
２５  第１表示装置
３  表示制御装置
３１  ＣＰＵ
４  位置検出装置
５  入力装置
６、７  記録媒体
６０、７０  コンピュータプログラム
【図１】
0003874265.tif 000002
【図２】
0003874265.tif 000003
【図３】
0003874265.tif 000004
【図４】
0003874265.tif 000005
【図５】
0003874265.tif 000006
【図６】
0003874265.tif 000007
【図７】
0003874265.tif 000008
【図８】
0003874265.tif 000009
【図９】
0003874265.tif 000010
【図１０】
0003874265.tif 000011
【図１１】
0003874265.tif 000012
【図１２】
0003874265.tif 000013
【図１３】
0003874265.tif 000014
【図１４】
0003874265.tif 000015
【図１５】
0003874265.tif 000016
【図１６】
0003874265.tif 000017